(57)【要約】【課題】所定の場所で移動端末を用いて相手人物を容易に探し出す。【解決手段】本発明に係る移動端末は、所定の場所にて、相手人物が使用する移動端末との間で相手人物を相互に認証する移動端末認証処理部２０２と、映像を撮影する撮影部２０７と、所定の場所にて、移動端末認証処理部２０２により相手人物が相互に認証された後に、自己の移動端末の撮影部２０７で撮影した映像を、相手人物が使用する移動端末との間で相互に送信する映像送信部２０８と、所定の場所にて、相手人物が使用する移動端末から送信されてきた映像を表示する表示部２０９とを有する。【選択図】図３
2006210998.tif 000002
【特許請求の範囲】
【請求項１】
複数の移動端末を有し、前記複数の移動端末をそれぞれ使用する人物同士が所定の場所にて相手人物を探索するための移動端末探索システムであって、
前記移動端末は、
前記所定の場所にて、相手人物が使用する移動端末との間で相手人物を相互に認証する移動端末認証処理部と、
映像を撮影する撮影部と、
前記所定の場所にて、前記移動端末認証処理部により相手人物が相互に認証された後に、自己の移動端末の前記撮影部で撮影した映像を、相手人物が使用する移動端末との間で相互に送信する映像送信部と、
前記所定の場所にて、相手人物が使用する移動端末から送信されてきた映像を表示する表示部とを具備する移動端末探索システム。
【請求項２】
前記移動端末は、前記所定の場所にて、前記表示部で前記映像を表示する時に、各移動端末で共通の音声データを音声出力する音声出力部をさらに具備する、請求項１に記載の移動端末探索システム。
【請求項３】
音声データを管理する音声データサーバと、
前記複数の移動端末にそれぞれ対応して設けられ、対応する移動端末と同人物により使用される複数の固定端末とをさらに有し、
前記固定端末は、
各移動端末で共通の音声データを前記音声データサーバに要求する音声データ要求部と、
前記音声データサーバから送信されてきた音声データを、自己の固定端末と同人物が使用する移動端末に送信する音声データ送信部とを具備し、
前記音声出力部は、自己の移動端末と同人物が使用する固定端末から送信されてきた音声データを音声出力する、請求項２に記載の移動端末探索システム。
【請求項４】
前記固定端末は、自己の固定端末と同人物が使用する移動端末にて認証を行うために必要となる個人認証情報を収集し、該移動端末に送信する固定端末認証処理部を具備し、
前記移動端末認証処理部は、自己の移動端末と同人物が使用する固定端末から送信されてきた前記個人認証情報を用いて認証を行う、請求項３に記載の移動端末探索システム。
【請求項５】
前記固定端末認証処理部は、
自己の固定端末を使用する人物の秘密鍵および公開鍵を生成する鍵生成部と、
前記鍵生成部で生成された、自己の固定端末を使用する人物の秘密鍵および公開鍵のうち、該公開鍵を相手人物が使用する固定端末に送信する送信部と、
前記鍵生成部で生成された、自己の固定端末を使用する人物の秘密鍵と、相手人物が使用する固定端末から送信されてきた相手人物の公開鍵とを、自己の固定端末と同人物が使用する移動端末に前記個人認証情報として送信する個人認証情報送信部とを有し、
前記移動端末認証処理部は、
自己の移動端末を使用する人物の認証を、相手人物が使用する移動端末に要求する認証要求部と、
相手人物が使用する移動端末から相手人物の認証要求を受けた場合に、乱数によるデータを生成し、生成したデータを相手人物の公開鍵を用いて暗号化し、暗号化されたデータを相手人物が使用する移動端末に送信する暗号部と、
相手人物が使用する移動端末から暗号化されたデータが送信されてきた場合に、該データを、自己の移動端末を使用する人物の秘密鍵を用いて復号し、復号化されたデータを、相手人物が使用する移動端末に送信する復号部と、
相手人物が使用する移動端末から復号化されたデータが送信されてきた場合に、前記暗号部で生成された乱数によるデータと相手人物が使用する移動端末から送信されてきた復号化されたデータとが一致するかを照合することで相手人物を認証する照合部とを具備する、請求項４に記載の移動端末探索システム。
【請求項６】
複数の移動端末をそれぞれ使用する人物同士が所定の場所にて相手人物を探索するための移動端末探索方法であって、
前記移動端末が、前記所定の場所にて、相手人物が使用する移動端末との間で相手人物を相互に認証する第１のステップと、
前記移動端末が、前記所定の場所にて、前記第１のステップで相手人物が相互に認証された後に、自己の移動端末で撮影した映像を、相手人物が使用する移動端末との間で相互に送信する第２のステップと、
前記移動端末が、前記所定の場所にて、相手人物が使用する移動端末から送信されてきた映像を表示する第３のステップとを有する移動端末探索方法。
【請求項７】
前記第３のステップで前記映像を表示する時に、前記移動端末が、前記所定の場所にて、各移動端末で共通の音声データを音声出力する第４のステップをさらに有する、請求項６に記載の移動端末探索方法。
【請求項８】
前記第４のステップは、
前記複数の移動端末にそれぞれ対応して設けられ、対応する移動端末と同人物により使用される固定端末が、各移動端末で共通の音声データを前記音声データサーバに要求するステップと、
前記固定端末が、前記音声データサーバから送信されてきた音声データを、自己の固定端末と同人物が使用する移動端末に送信するステップと、
前記移動端末が、自己の移動端末と同人物が使用する固定端末から送信されてきた音声データを音声出力するステップとを含む、請求項７に記載の移動端末探索方法。
【請求項９】
前記固定端末が、自己の固定端末と同人物が使用する移動端末にて認証を行うために必要となる個人認証情報を収集し、該移動端末に送信する第５のステップをさらに有し、
前記第１のステップは、前記移動端末が、自己の移動端末と同人物が使用する固定端末から送信されてきた前記個人認証情報を用いて認証を行うステップである、請求項８に記載の移動端末探索方法。
【請求項１０】
前記第５のステップは、
前記固定端末が、自己の固定端末を使用する人物の秘密鍵および公開鍵を生成するステップと、
前記固定端末が、自己の固定端末を使用する人物の秘密鍵および公開鍵のうち、該公開鍵を相手人物が使用する固定端末に送信するステップと、
前記固定端末が、自己の固定端末を使用する人物の秘密鍵と、相手人物が使用する固定端末から送信されてきた相手人物の公開鍵とを、自己の固定端末と同人物が使用する移動端末に前記個人認証情報として送信するステップとを含み、
前記第１のステップは、
前記移動端末が、自己の移動端末を使用する人物の認証を、相手人物が使用する移動端末に要求するステップと、
前記移動端末が、相手人物が使用する移動端末から相手人物の認証要求を受けた場合に、乱数によるデータを生成し、生成したデータを相手人物の公開鍵を用いて暗号化し、暗号化されたデータを、相手人物が使用する移動端末に送信するステップと、
前記移動端末が、相手人物が使用する移動端末から暗号化されたデータが送信されてきた場合に、該データを、自己の移動端末を使用する人物の秘密鍵を用いて復号し、復号化されたデータを、相手人物が使用する移動端末に送信するステップと、
前記移動端末が、相手人物が使用する移動端末から復号化されたデータが送信されてきた場合に、自己の移動端末で生成された乱数によるデータと相手人物が使用する移動端末から送信されてきた復号化されたデータとが一致するかを照合することで相手人物を認証するステップとを含む、請求項９に記載の移動端末探索方法。
【請求項１１】
所定の場所にて相手人物を探索する人物により使用される移動端末であって、
前記所定の場所にて、相手人物が使用する移動端末との間で相手人物を相互に認証する移動端末認証処理部と、
映像を撮影する撮影部と、
前記所定の場所にて、前記移動端末認証処理部により相手人物が相互に認証された後に、自己の移動端末の前記撮影部で撮影した映像を、相手人物が使用する移動端末との間で相互に送信する映像送信部と、
前記所定の場所にて、相手人物が使用する移動端末から送信されてきた映像を表示する表示部とを具備する移動端末。
【請求項１２】
前記所定の場所にて、前記表示部で前記映像を表示する時に、各移動端末で共通の音声データを音声出力する音声出力部をさらに具備する、請求項１１に記載の移動端末。
【請求項１３】
前記音声出力部は、自己の移動端末と同人物が使用する固定端末から送信されてきた音声データを、各移動端末で共通の音声データとして音声出力する、請求項１２に記載の移動端末。
【請求項１４】
前記移動端末認証処理部は、自己の移動端末と同人物が使用する固定端末から、相手人物を認証するために必要となる個人認証情報を受信し、該個人認証情報を用いて認証を行う、請求項１３に記載の移動端末。
【請求項１５】
前記移動端末認証処理部は、
自己の移動端末を使用する人物の認証を、相手人物が使用する移動端末に要求する認証要求部と、
相手人物が使用する移動端末から相手人物の認証要求を受けた場合に、乱数によるデータを生成し、生成したデータを、自己の移動端末と同人物が使用する固定端末から前記個人認証情報として送信されてきた相手人物の公開鍵を用いて暗号化し、暗号化されたデータを相手人物が使用する移動端末に送信する暗号部と、
相手人物が使用する移動端末から暗号化されたデータが送信されてきた場合に、該データを、自己の移動端末と同人物が使用する固定端末から前記個人認証情報として送信されてきた該人物の秘密鍵を用いて復号し、復号化されたデータを、相手人物が使用する移動端末に送信する復号部と、
相手人物が使用する移動端末から復号化されたデータが送信されてきた場合に、前記暗号部で生成された乱数によるデータと相手人物が使用する移動端末から送信されてきた復号化されたデータとが一致するかを照合することで相手人物を認証する照合部とを具備する、請求項１４に記載の移動端末。
【発明の詳細な説明】
【技術分野】
【０００１】
本発明は、複数の移動端末をそれぞれ使用する人物同士が所定の場所にて相手人物を探索するための移動端末探索システム、移動端末探索方法、移動端末に関する。
【背景技術】
【０００２】
最近、インターネット上の会員制コミュニティサービスとして、ユーザ同士がインターネット上でコミュニケーションを図ることができる場を提供するソーシャルネットワークサービスが実用化されている。この種のソーシャルネットワークサービスでは、そのサービスの一環として、ユーザ同士が実際に会ってコミュニケーションを図るオフラインミーティングが開催されることもある。
【０００３】
しかしながら、オフラインミーティングが開催される段階では、ユーザ同士はインターネット上でしかコミュニケーションを図っていないことから、お互いの顔や素性を知らない。そのため、他人がなりすまし行為を行ってオフラインミーティングに参加して、ミーティングの情報だけを手に入れてしまう場合があり、その場合、ユーザが詐欺等に遭うなどのトラブルが起こるおそれがある。また、逆に、ユーザ自身が個人情報を提供しすぎたために、ストーカー被害等のいやがらせに遭うこともありうる。
【０００４】
そこで、最近では、上述のようなトラブルに対処するため、お互いの顔や素性を知らない人物と待ち合わせをする場合にも、実際に会っている人物が待ち合わせ相手であるか否かを、個人情報を提供しすぎることなく認証することができ、かつ、待ち合わせ相手を探し出すことができる技術が検討されている。
【０００５】
その一例として、特許文献１に開示された技術においては、待ち合わせ場所で双方の探索機器が遭遇すると、双方の探索機器では、まず、相手の探索機器から送信されてきた認証符号が自己の探索機器に格納してある認証符号と一致するか否かを判断して認証を行い、正当に認証が行われると、続いて、同一の通知音声を鳴らすことを行う。
【０００６】
上記のような特許文献１に開示された技術によれば、待ち合わせを行う人物が個人情報を提供しなくても、待ち合わせ相手を認証することができ、また、同一の通知音声を鳴らしている人物を待ち合わせ相手として探し出すことができるという利点がある。
【特許文献１】特開２００２−４４０１０号公報
【発明の開示】
【発明が解決しようとする課題】
【０００７】
しかしながら、特許文献１に開示された技術においては、例えば、待ち合わせ場所が道路交通量の多い場所、人が密集している場所など、騒音が激しい場所である場合、待ち合わせ相手が鳴らしている通知音声が聞き取れないことがあり、その場合には、待ち合わせ相手を探し出すことができない。また、待ち合わせ相手とは全く異なる人物が独自に同一の通知音声を鳴らしていることがあり、その場合には、どの人物が実際の待ち合わせ相手であるかを特定するのが困難となる。
【０００８】
そこで、本発明の目的は、所定の場所で、顔や素性を知らない相手人物を移動端末を用いて容易に探し出すことができる移動端末探索システム、移動端末探索方法、移動端末を提供することにある。
【課題を解決するための手段】
【０００９】
上記目的を達成するために本発明は、
複数の移動端末を有し、前記複数の移動端末をそれぞれ使用する人物同士が所定の場所にて相手人物を探索するための移動端末探索システムであって、
前記移動端末は、
前記所定の場所にて、相手人物が使用する移動端末との間で相手人物を相互に認証する移動端末認証処理部と、
映像を撮影する撮影部と、
前記所定の場所にて、前記移動端末認証処理部により相手人物が相互に認証された後に、自己の移動端末の前記撮影部で撮影した映像を、相手人物が使用する移動端末との間で相互に送信する映像送信部と、
前記所定の場所にて、相手人物が使用する移動端末から送信されてきた映像を表示する表示部とを具備することを特徴とするものである。
【００１０】
この構成によれば、移動端末において、自己の移動端末を使用する人物の映像やその人物が位置している場所など、その人物を特定するために有効な映像を相互に送信することにより、今まで顔を知らなかった相手人物を容易に探し出すことができる。そのため、インターネット上の会員制コミュニティ等において、会員である人物同士が実際に会うオフラインミーティングが行われる際、オフラインミーティングが行われる場所において、相手人物を探し出すことが容易になる。
【００１１】
また、前記移動端末は、前記所定の場所にて、前記表示部で前記映像を表示する時に、各移動端末で共通の音声データを音声出力する音声出力部をさらに具備することとしても良い。
【００１２】
この構成によれば、映像だけでなく、音声を用いることで、相手人物をさらに容易に探し出すことができる。
【００１３】
また、前記固定端末は、自己の固定端末と同人物が使用する移動端末にて認証を行うために必要となる個人認証情報を収集し、該移動端末に送信する固定端末認証処理部を具備し、
前記移動端末認証処理部は、自己の移動端末と同人物が使用する固定端末から送信されてきた前記個人認証情報を用いて認証を行うこととしても良い。
【００１４】
さらに、前記固定端末認証処理部は、
自己の固定端末を使用する人物の秘密鍵および公開鍵を生成する鍵生成部と、
前記鍵生成部で生成された、自己の固定端末を使用する人物の秘密鍵および公開鍵のうち、該公開鍵を相手人物が使用する固定端末に送信する送信部と、
前記鍵生成部で生成された、自己の固定端末を使用する人物の秘密鍵と、相手人物が使用する固定端末から送信されてきた相手人物の公開鍵とを、自己の固定端末と同人物が使用する移動端末に前記個人認証情報として送信する個人認証情報送信部とを有し、
前記移動端末認証処理部は、
自己の移動端末を使用する人物の認証を、相手人物が使用する移動端末に要求する認証要求部と、
相手人物が使用する移動端末から相手人物の認証要求を受けた場合に、乱数によるデータを生成し、生成したデータを相手人物の公開鍵を用いて暗号化し、暗号化されたデータを相手人物が使用する移動端末に送信する暗号部と、
相手人物が使用する移動端末から暗号化されたデータが送信されてきた場合に、該データを、自己の移動端末を使用する人物の秘密鍵を用いて復号し、復号化されたデータを、相手人物が使用する移動端末に送信する復号部と、
相手人物が使用する移動端末から復号化されたデータが送信されてきた場合に、前記暗号部で生成された乱数によるデータと相手人物が使用する移動端末から送信されてきた復号化されたデータとが一致するかを照合することで相手人物を認証する照合部とを具備することとしても良い。
【００１５】
この構成によれば、人物同士が、個人情報を完全に相手人物に伝えることなく本人認証を行ってもらうことができるため、個人情報を提供しすぎることによるトラブル等を未然に防ぐことができるようになる。
【発明の効果】
【００１６】
以上説明したとおり、本発明によれば、移動端末において、相手人物を相互に認証した後、自己の移動端末で撮影した映像を相互に送信し、相手人物の移動端末から送信されてきた映像を表示する構成であるため、本人を特定し得る有効な映像を相互に送信することで、顔を知らない相手人物でも容易に探し出すことができるという効果が得られる。
【発明を実施するための最良の形態】
【００１７】
以下に、本発明を実施するための最良の形態について図面を参照して説明する。
【００１８】
図１を参照すると、本発明の一実施形態による移動端末探索システムは、人物Ａが使用する固定端末１０Ａおよび移動端末２０Ａと、人物Ｂが使用する固定端末１０Ｂおよび移動端末２０Ｂと、認証局３０と、音声データサーバ４０と、固定端末１０Ａ，１０Ｂ、移動端末２０Ａ，２０Ｂ、認証局３０、および音声データサーバ４０を相互に接続するインターネット等であるネットワーク５０とから構成される。なお、図１においては、説明の便宜のために、固定端末と移動端末との組を２つだけ図示しているが、その組数は２以上であれば、特に制限はない。
【００１９】
ここで、固定端末１０Ａ，１０Ｂ、移動端末２０Ａ，２０Ｂ、認証局３０、および音声データサーバ４０の構成について説明する。
【００２０】
まず、固定端末１０Ａ，１０Ｂの構成について図２を参照して説明する。ここでは固定端末１０Ａの構成について説明するが、固定端末１０Ｂも構成自体は固定端末１０Ａと同様である。
【００２１】
固定端末１０Ａは、人物Ａが使用する据置型パーソナルコンピュータなどの固定型の情報処理装置である。この固定端末１０Ａは、ネットワーク接続部１０１と、固定端末認証処理部１０２と、音声リスト要求部１０８と、音声データ要求部１０９と、音声ＩＤ送信部１１０と、音声データ送信部１１１と、表示部１１２と、記憶部１１３と、記録媒体収容部１１４と、入力部１１５とを有している。
【００２２】
ネットワーク接続部１０１は、固定端末１０Ａとネットワーク５０とを接続するインターフェースである。
【００２３】
固定端末認証処理部１０２は、移動端末２０Ａにおいて、移動端末２０Ｂとの間で人物Ａ，Ｂを相互に認証するために必要となる個人認証情報を収集し、収集した個人認証情報を移動端末２０Ａに送信する部分である。この固定端末認証処理部１０２は、認証局３０の証明書の発行を認証局３０に要求する認証局証明書要求部１０３と、人物Ａの秘密鍵と公開鍵とのペアを生成する鍵生成部１０４と、人物Ａの公開鍵が付加された人物Ａの証明書の発行を認証局３０に要求する人物証明書要求部１０５と、人物Ａの証明書を人物Ｂの固定端末１０Ｂに送信する人物証明書送信部１０６と、認証局３０の証明書、人物Ａの秘密鍵、および人物Ｂの証明書を、個人認証情報として人物Ａの移動端末２０Ａに送信する個人認証情報送信部１０７とを有している。
【００２４】
音声リスト要求部１０８は、音声リストを音声データサーバ４０に要求する。
【００２５】
音声データ要求部１０９は、音声リストに掲載された音声データのいずれかが人物Ａにより入力部１１５を介して選択された場合に、その選択された音声データを識別番号である音声ＩＤを指定して音声データサーバ４０に要求するか、または人物Ｂの固定端末１０Ｂから音声ＩＤが指定された場合に、その音声ＩＤを指定して音声データを音声データサーバ４０に要求する。
【００２６】
音声ＩＤ送信部１１０は、人物Ａにより選択された音声データを音声ＩＤを指定して音声データサーバ４０に要求する場合にのみ、その音声データの音声ＩＤを、人物Ｂの固定端末１０Ｂに送信する。
【００２７】
音声データ送信部１１１は、音声データ要求部１０９の要求に応じて音声データサーバ４０から送信されてきた音声データを、人物Ａの移動端末２０Ａに送信する。
【００２８】
表示部１１２は、音声リスト要求部１０８の要求に応じて音声データサーバ４０から送信されてきた音声リストなどを表示する部分である。
【００２９】
記憶部１１３は、鍵生成部１０４で生成した人物Ａの秘密鍵と公開鍵、認証局３０から送信されてきた認証局３０の証明書と人物Ａの証明書、固定端末１０Ｂから送信されてきた人物Ｂの証明書、音声データサーバ４０から送信されてきた音声リストおよび音声データなどを記憶する部分である。
【００３０】
記録媒体収容部１１４は、フロッピーディスクなどの移設可能な記録媒体が収容される部分であり、収容された記録媒体からのデータの読出しおよびその記録媒体へのデータの書き込みを行う。
【００３１】
入力部１１５は、人物Ａにより入力操作が行われる部分である。固定端末１０Ａ内の上記の構成要素は、人物Ａにより入力部１１５に入力された指示に基づき動作を行う。
【００３２】
次に、移動端末２０Ａ，２０Ｂの構成について図３を参照して説明する。ここでは移動端末２０Ａの構成について説明するが、移動端末２０Ｂも構成自体は移動端末２０Ａと同様である。
【００３３】
移動端末２０Ａは、人物Ａが使用する携帯電話やＰＤＡやノートブック型パーソナルコンピュータなどの持ち運び可能な携帯型の情報処理装置である。この移動端末２０Ａは、ネットワーク接続部２０１と、移動端末認証処理部２０２と、撮影部２０７と、映像送信部２０８と、表示部２０９と、音声出力部２１０と、記憶部２１１と、記録媒体収容部２１２と、入力部２１３とを有している。
【００３４】
ネットワーク接続部２０１は、移動端末２０Ａとネットワーク５０とを接続するインターフェースである。
【００３５】
移動端末認証処理部２０２は、人物Ａと人物Ｂの待ち合わせ場所（オフラインミーティングの開催場所など）などにおいて、固定端末１０Ａから送信されてきた個人認証情報を用いて、移動端末２０Ｂとの間で人物Ａ，Ｂを相互に認証する認証処理を行う部分である。この移動端末認証処理部２０２は、人物Ａの認証を人物Ｂの移動端末２０Ｂに要求する認証要求部２０３と、移動端末２０Ｂから人物Ｂの認証要求を受けた場合に、乱数によるデータを生成し、その乱数データを人物Ｂの公開鍵を用いて暗号化し、暗号化されたデータを移動端末２０Ｂに送信する暗号部２０４と、移動端末２０Ｂから暗号化されたデータが送信されてきた場合に、その暗号化されたデータを人物Ａの秘密鍵を用いて復号して移動端末２０Ｂに送信する復号部２０５と、移動端末２０Ｂで復号化された復号データが送信されてきた場合に、移動端末２０Ａで生成した乱数データと移動端末２０Ｂで復号化された復号データとが一致するかを照合することで人物Ｂの認証を行う照合部２０６とを有している。
【００３６】
撮影部２０７は、人物Ａや待ち合わせ場所付近の映像を撮影するカメラである。
【００３７】
映像送信部２０８は、人物Ａと人物Ｂの待ち合わせ場所などにおいて、人物Ａ，Ｂが相互に認証された後に、撮影部２０７で撮影された映像を移動端末２０Ｂに送信する。
【００３８】
表示部２０９は、人物Ａと人物Ｂの待ち合わせ場所などにおいて、移動端末２０Ｂから送信されてきた映像などを表示する部分である。
【００３９】
音声出力部１１０は、人物Ａと人物Ｂの待ち合わせ場所などにおいて、固定端末１０Ａから送信されてきた、移動端末２０Ａ，２０Ｂ間で共通の音声データなどを音声出力する部分である。
【００４０】
記憶部２１１は、固定端末１０Ａから送信されてきた個人認証情報（認証局３０の証明書、人物Ａの秘密鍵、人物Ｂの証明書）および音声データ、暗号部２０４で生成した乱数データ、それを暗号化したデータ、撮影部２０７で撮影された映像、移動端末２０Ｂから送信されてきた復号データや映像などを記憶する部分である。
【００４１】
記録媒体収容部２１２は、フロッピーディスクなどの移設可能な記録媒体が収容される部分であり、収容された記録媒体からのデータの読出しおよびその記録媒体へのデータの書き込みを行う。
【００４２】
入力部２１３は、人物Ａにより入力操作が行われる部分である。移動端末２０Ａ内の上記の構成要素は、人物Ａにより入力部２１３に入力された指示に基づき動作を行う。
【００４３】
次に、認証局３０の構成について図４を参照して説明する。
【００４４】
認証局３０は、固定端末１０Ａ，１０Ｂからの要求に応じて証明書を発行する情報処理装置であり、会員制コミュニティを運営しているなど、人物Ａ，Ｂの確認が行い得る立場にある団体が運用している。この認証局３０は、ネットワーク接続部３０１と、認証局証明書発行部３０２と、人物証明書発行部３０３と、記憶部３０４とを有している。
【００４５】
ネットワーク接続部３０１は、認証局３０とネットワーク５０とを接続するインターフェースである。
【００４６】
認証局証明書発行部３０２は、固定端末１０Ａ，１０Ｂからの認証局証明書の発行要求に応じて、認証局３０自身の証明書を発行する。
【００４７】
人物証明書発行部３０３は、固定端末１０Ａ，１０Ｂからの人物Ａ，Ｂの証明書の発行要求に応じて、固定端末１０Ａ，１０Ｂから送信されてきた公開鍵を記憶部３０４に記憶させ、本人確認を行った後、公開鍵を付加した人物Ａ，Ｂの証明書を発行する。
【００４８】
記憶部３０４は、固定端末１０Ａ，１０Ｂから送信されてきた公開鍵、認証局証明書発行部３０２で発行した認証局３０の証明書、人物証明書発行部３０３で発行した人物Ａ，Ｂの証明書などを記憶する部分である。
【００４９】
次に、音声データサーバ４０の構成について図５を参照して説明する。
【００５０】
音声データサーバ４０は、固定端末１０Ａ，１０Ｂからの要求に応じて音声データを提供するサーバ装置である。なお、音声データサーバ４０が提供する音声データには、音楽に限らず、警告音などの様々な音声データが含まれている。この音声データサーバ４０は、ネットワーク接続部４０１と、音声リスト管理部４０２と、音声データ管理部４０３とを有している。
【００５１】
ネットワーク接続部４０１は、音声データサーバ４０とネットワーク５０とを接続するインターフェースである。
【００５２】
音声リスト管理部４０２は、音声ＩＤと対応させた音声データのリストを管理しており、固定端末１０Ａ，１０Ｂからの音声リストの要求に応じて音声リストを送信する。
【００５３】
音声データ管理部４０３は、各種の音声データを管理しており、固定端末１０Ａ，１０Ｂからの音声ＩＤを指定した音声データの要求に応じて、その音声ＩＤに対応する音声データを送信する。
【００５４】
以下、図１に示した移動端末探索システムによる移動端末探索方法について、図６を参照して説明する。
【００５５】
図６を参照すると、まず、固定端末１０Ａにおいて、認証局証明書要求部１０３が、ネットワーク接続部１０１からネットワーク５０を介して認証局３０にアクセスし、認証局３０自身の証明書の発行要求を送信する（ステップ６０１）。
【００５６】
次に、認証局３０において、認証局証明書発行部３０２が、認証局３０自身の証明書を発行し、その発行された認証局３０自身の証明書を、ネットワーク接続部３０１からネットワーク５０を介して固定端末１０Ａへ送信する（ステップ６０２）。
【００５７】
次に、固定端末１０Ａにおいて、鍵生成部１０４が、人物Ａの公開鍵と秘密鍵を生成し、人物証明書要求部１０５が、そのうちの公開鍵をネットワーク接続部１０１からネットワーク５０を介して認証局３０へ送信することで、その公開鍵が付加された人物Ａの証明書を要求する（ステップ６０３）。
【００５８】
次に、認証局３０において、人物証明書発行部３０３が、固定端末１０Ａから公開鍵を送信してきた送信者である人物Ａを確認し、人物Ａの公開鍵に電子署名を施し、さらに、電子署名を施した公開鍵を付加した人物Ａの証明書を発行し、その発行された人物Ａの証明書を、ネットワーク接続部３０１からネットワーク５０を介して固定端末１０Ａへ送信する（ステップ６０４）。
【００５９】
同様に、固定端末１０Ｂにおいて、認証局証明書要求部１０３が、ネットワーク接続部１０１からネットワーク５０を介して認証局３０にアクセスし、認証局３０自身の証明書の発行要求を送信する（ステップ６０５）。
【００６０】
次に、認証局３０において、認証局証明書発行部３０２が、認証局３０自身の証明書を発行し、その発行された認証局３０自身の証明書を、ネットワーク接続部３０１からネットワーク５０を介して固定端末１０Ｂへ送信する（ステップ６０６）。
【００６１】
次に、固定端末１０Ｂにおいて、鍵生成部１０４が、人物Ｂの公開鍵と秘密鍵を生成し、人物証明書要求部１０５が、そのうちの公開鍵を、ネットワーク接続部１０１からネットワーク５０を介して認証局３０へ送信することで、その公開鍵が付加された人物Ｂの証明書を要求する（ステップ６０７）。
【００６２】
次に、認証局３０において、人物証明書発行部３０３が、固定端末１０Ｂから公開鍵を送信してきた送信者である人物Ｂを確認し、人物Ｂの公開鍵に電子署名を施し、さらに、電子署名を施した公開鍵を付加した人物Ｂの証明書を発行し、その発行された人物Ｂの証明書を、ネットワーク接続部３０１からネットワーク５０を介して固定端末１０Ｂへ送信する（ステップ６０８）。
【００６３】
ここで、人物Ａと人物Ｂが実際に会うことになったとする。すると、固定端末１０Ａと固定端末１０Ｂは次のような動作を行う。
【００６４】
まず、固定端末１０Ａにおいて、音声リスト要求部１０８が、音声リストの送信要求を、ネットワーク接続部１０１からネットワーク５０を介して音声データサーバ４０へ送信する（ステップ６０９）。
【００６５】
次に、音声データサーバ４０において、音声リスト管理部４０２が、音声リストを、ネットワーク接続部４０１からネットワーク５０を介して固定端末１０Ａへ送信する（ステップ６１０）。
【００６６】
次に、固定端末１０Ａにおいて、表示部１１２が、ステップ６１０で音声データサーバ４０から送信されてきた音声リストを表示し、音声リストに掲載されたいずれかの音声データを人物Ａに選択させる。次に、音声データ要求部１０９が、人物Ａにより選択された音声データの音声ＩＤを指定した上で該音声データの送信要求を、ネットワーク接続部１０１からネットワーク５０を介して音声データサーバ４０へ送信する（ステップ６１１）。
【００６７】
次に、音声データサーバ４０において、音声データ管理部４０３が、ステップ６１１で固定端末１０Ａから要求された音声ＩＤに対応する音声データを、ネットワーク接続部４０１からネットワーク５０を介して固定端末１０Ａへ送信する（ステップ６１２）。
【００６８】
次に、固定端末１０Ａにおいて、人物証明書送信部１０６が、ステップ６０４で認証局３０から送信されてきた人物Ａの証明書を、ネットワーク接続部１０１からネットワーク５０を介して固定端末１０Ｂへ送信するとともに、音声ＩＤ送信部１１０が、ステップ６１２で音声データサーバ４０から送信されてきた音声データの音声ＩＤを、ネットワーク接続部１０１からネットワーク５０を介して固定端末１０Ｂへ送信する（ステップ６１３）。
【００６９】
次に、固定端末１０Ｂにおいて、音声データ要求部１０９が、ステップ６１３で固定端末１０Ａから送信されてきた音声ＩＤを指定した上で、その音声ＩＤに対応する音声データの送信要求を、ネットワーク接続部１０１からネットワーク５０を介して音声データサーバ４０へ送信する（ステップ６１４）。
【００７０】
次に、音声データサーバ４０において、音声データ管理部４０３が、ステップ６１４で固定端末１０Ｂから要求された音声ＩＤに対応する音声データを、ネットワーク接続部４０１からネットワーク５０を介して固定端末１０Ｂへ送信する（ステップ６１５）。
【００７１】
次に、固定端末１０Ｂにおいて、人物証明書送信部１０６が、ステップ６０８で認証局３０から送信されてきた人物Ｂの証明書を、ネットワーク接続部１０１からネットワーク５０を介して固定端末１０Ａへ送信する（ステップ６１６）。さらに、個人認証情報送信部１０７が、ステップ６０６で認証局３０から送信されてきた認証局３０の証明書、ステップ６０７で生成した人物Ｂの秘密鍵、ステップ６１３で固定端末１０Ａから送信されてきた人物Ａの証明書の複製を作成し、その複製を個人認証情報として移動端末２０Ａへ送信するとともに、音声データ送信部１１１が、ステップ６１５で音声データサーバ４０から送信されてきた音声データを移動端末２０Ｂへ送信する（ステップ６１７）。なお、固定端末１０Ｂから個人認証情報および音声データを移動端末２０Ｂに送信する方法としては、ネットワーク接続部１０１からネットワーク５０を介して移動端末２０Ｂへ送信する方法や、個人認証情報および音声データを記録媒体収容部１１４に収容された記録媒体に記録し、その記録媒体を人物Ｂにより移動端末２０Ｂへ移設させる方法のどちらでも良い。
【００７２】
また、固定端末１０Ａにおいて、個人認証情報送信部１０７が、ステップ６０２で認証局３０から送信されてきた認証局３０の証明書、ステップ６０３で生成した人物Ａの秘密鍵、ステップ６１６で固定端末１０Ｂから送信されてきた人物Ｂの証明書の複製を作成し、その複製を個人認証情報として移動端末２０Ａへ送信するとともに、音声データ送信部１１１が、ステップ６１２で音声データサーバ４０から送信されてきた音声データを移動端末２０Ａへ送信する（ステップ６１８）。なお、固定端末１０Ａから個人認証情報および音声データを移動端末２０Ａに送信する方法としては、上述の方法が使用できる。
【００７３】
その後、人物Ａは移動端末２０Ａを持ち、人物Ｂは移動端末２０Ｂを持った状態で、実際に会うこととなる。実際の待ち合わせ場所では、移動端末２０Ａと移動端末２０Ｂは次のような動作を行う。
【００７４】
まず、移動端末２０Ａにおいて、認証要求部２０３が、人物Ａを人物Ｂに認証してもらうための認証要求を、移動端末２０Ｂへ無線で送信する（ステップ６１９）。
【００７５】
次に、移動端末２０Ｂにおいて、暗号部２０４が、乱数によるデータを作成し、さらに、その乱数データを、ステップ６１７で固定端末１０Ｂから送信されてきた人物Ａの証明書に付加されている人物Ａの公開鍵を用いて暗号化し、その暗号化されたデータを移動端末２０Ａへ無線で送信する（ステップ６２０）。
【００７６】
次に、移動端末２０Ａにおいて、復号部２０５が、ステップ６２０で移動端末２０Ｂから送信されてきた暗号化されたデータを、ステップ６１８で固定端末１０Ａから送信されてきた人物Ａの秘密鍵を用いて復号し、その復号化されたデータを移動端末２０Ｂへ無線で送信する（ステップ６２１）。
【００７７】
次に、移動端末２０Ｂにおいて、照合部２０６が、ステップ６２１で移動端末２０Ａから送信されてきた復号データと、ステップ６２０で生成した乱数データとを照合し、両者が一致した場合には移動端末２０Ａを利用している人物が人物Ａであると認証する（ステップ６２２）。
【００７８】
同様に、移動端末２０Ｂにおいて、認証要求部２０３が、人物Ｂを人物Ａに認証してもらうための認証要求を、移動端末２０Ａへ無線で送信する（ステップ６２３）。
【００７９】
次に、移動端末２０Ａにおいて、暗号部２０４が、乱数によるデータを作成し、さらに、その乱数データを、ステップ６１８で固定端末１０Ａから送信されてきた人物Ｂの証明書に付加されている人物Ｂの公開鍵を用いて暗号化し、その暗号化されたデータを移動端末２０Ｂへ無線で送信する（ステップ６２４）。
【００８０】
次に、移動端末２０Ｂにおいて、復号部２０５が、ステップ６２４で移動端末２０Ｂから送信されてきた暗号化されたデータを、ステップ６１７で固定端末１０Ｂから送信されてきた人物Ｂの秘密鍵を用いて復号し、その復号化されたデータを移動端末２０Ａへ無線で送信する（ステップ６２５）。
【００８１】
次に、移動端末２０Ａにおいて、照合部２０６が、ステップ６２５で移動端末２０Ｂから送信されてきた復号データと、ステップ６２４で生成した乱数データとを照合し、両者が一致した場合には移動端末２０Ｂを利用している人物が人物Ｂであると認証する（ステップ６２６）。
【００８２】
次に、移動端末２０Ａにおいて、映像送信部２０８が、撮影部２０７で撮影された映像を移動端末２０Ｂに無線で送信する（ステップ６２７）。このときに送信する映像は、人物Ａを特定し得る映像とする必要があるため、その時点で撮影部２０７により撮影された人物Ａや人物Ａが位置している場所などの映像とすることが好ましいが、人物Ａの映像であれば、過去に撮影部２０７により撮影された映像であっても良い。
【００８３】
同様に、移動端末２０Ｂにおいて、映像送信部２０８が、撮影部２０７で撮影された映像を移動端末２０Ａに無線で送信する（ステップ６２８）。このときに送信する映像も上記と同様である。
【００８４】
次に、移動端末２０Ａにおいて、表示部２０９が、ステップ６２８で移動端末２０Ｂから送信されてきた映像を表示するとともに、音声出力部２１０が、ステップ６１８で固定端末１０Ａから送信されてきた音声データを音声出力する（ステップ６２９）。
【００８５】
同様に、移動端末２０Ｂにおいて、表示部２０９が、ステップ６２７で移動端末２０Ａから送信されてきた映像を表示するとともに、音声出力部２１０が、ステップ６１７で固定端末１０Ｂから送信されてきた音声データを音声出力する（ステップ６３０）。
【００８６】
上述したように本実施形態においては、移動端末２０Ａ，２０Ｂにおいて、人物Ａ，Ｂを相互に認証した後、自己の移動端末で撮影した映像を相互に送信し、相手の移動端末から送信されてきた映像を表示するとともに、共通の音声データを音声出力する構成となっている。
【００８７】
このように、移動端末２０Ａ，２０Ｂにおいて、相互に送信した映像を表示するため、人物Ａ，Ｂの映像や位置している場所など、人物Ａ，Ｂを特定するために有効な映像を相互に送信することにより、今まで顔を知らなかった人物を容易に探し出すことができる。
【００８８】
また、本実施形態においては、固定端末１０Ａ，１０Ｂにおいて、個人情報をなんら提供することなく個人認証情報を収集し、移動端末２０Ａ，２０Ｂにおいて、固定端末１０Ａ，１０Ｂにて収集された個人認証情報を用いて、人物Ａ，Ｂを相互に認証することができるため、個人情報を完全に伝えることなく本人確認を行ってもらうことができ、個人情報を提供しすぎることによるトラブル等を未然に防ぐことができるようになる。
【００８９】
なお、本実施形態においては、移動端末２０Ａ，２０Ｂにおいて、相互に送信する映像を表示するとともに、共通の音声データを音声出力することで、相手の人物を探し出す構成としたが、本発明はこれに限定されない。すなわち、上述のように映像のみでも相手の人物を容易に探し出すことができると考えられるため、音声データサーバ４０から音声データを取得して、これを音声出力するまでの一連の処理を行わずに、映像のみで相手の人物を探し出す構成としても良い。
【図面の簡単な説明】
【００９０】
【図１】本発明の一実施形態による移動端末探索システムの構成を示す図である。
【図２】図１に示した固定端末の構成を示すブロック図である。
【図３】図１に示した移動端末の構成を示すブロック図である。
【図４】図１に示した認証局の構成を示すブロック図である。
【図５】図１に示した音声データサーバの構成を示すブロック図である。
【図６】図１に示した移動端末探索システムによる移動端末探索方法を説明するフローチャートである。
【符号の説明】
【００９１】
１０Ａ，１０Ｂ    固定端末
２０Ａ，２０Ｂ    移動端末
３０    認証局
４０    音声データサーバ
５０    ネットワーク
【図１】
2006210998.tif 000003
【図２】
2006210998.tif 000004
【図３】
2006210998.tif 000005
【図４】
2006210998.tif 000006
【図５】
2006210998.tif 000007
【図６】
2006210998.tif 000008